(57)【要約】  本発明は、導体（３）を有するとともに、導体（３）に回転可能に装着されるユニオンナット（５）を有する差込み式コネクタであって、ユニオンナット（５）が差込み式コネクタの軸方向において導体（３）に弾性的に装着される差込み式コネクタに関する。
2016509362.tif 000002
【特許請求の範囲】
【請求項１】
導体（３）を有するとともに、前記導体（３）に回転可能に装着されるユニオンナット（５）を有する差込み式コネクタであって、前記ユニオンナット（５）が前記差込み式コネクタの軸方向において前記導体（３）に弾性的に装着されることを特徴とする差込み式コネクタ。
【請求項２】
前記ユニオンナット（５）は、曲がって応力印加される環状ばねによって前記導体（３）に装着されることを特徴とする請求項１に記載の差込み式コネクタ。
【請求項３】
前記曲がって応力印加される環状ばねは、ウェーブスプリングワッシャー（７）の形態をとることを特徴とする請求項２に記載の差込み式コネクタ。
【請求項４】
前記曲がって応力印加される環状ばねの内側は前記導体（３）の溝（６）に配置され、および／または、前記曲がって応力印加される環状ばねの外側は前記ユニオンナット（５）の溝（８）に配置されることを特徴とする請求項２または３に記載の差込み式コネクタ。
【請求項５】
前記差込み式コネクタは、中央導体を包囲する外側導体の形態の前記導体（３）を持つ同軸差込み式コネクタの形態をとることを特徴とする請求項１乃至４のいずれか一項に記載の差込み式コネクタ。
【請求項６】
請求項１乃至５のいずれか一項に記載の差込み式コネクタと、相手方差込み式コネクタとを有する差込み式接続であって、前記相手方差込み式コネクタが前記ユニオンナット（５）と協働するねじを有する差込み式接続。
【発明の詳細な説明】
【技術分野】
【０００１】
本発明は、差込み式コネクタに関し、より具体的には、同軸無線周波数差込み式コネクタに関し、さらに、この種の差込み式コネクタと、それに対して相補型である相手方差込み式コネクタとによって形成される差込み式接続に関する。
【背景技術】
【０００２】
多くの既知の無線周波数差込み式接続において、２つの差込み式コネクタの少なくとも外側導体の接触は（とりわけ）軸方向に行われる、すなわち、差込み式接続が相互差込みをされた状態であるときに外側導体の端部の接触面が互いに当接する。差込み式接続によって、相互変調および反射を可能な限り免れる無線周波数信号の伝送を達成するために、比較的高い接触圧力が通常必要とされる。多くの差込み式接続において、これは、差込み式コネクタのうち一方の外殻に回転可能に配置されるユニオンナットによって生成され、この外殻は多くの場合外側導体によって形成され、他方の差込み式コネクタの外殻の外ねじに螺合しうる内ねじを有し、この外殻は多くの場合外側導体によって形成される。ユニオンナットの螺合は、２つの差込み式コネクタを、それらの長軸（差込み方向に相当する）によって画定される方向において互いに対して動かし、それにより、軸方向の接触圧力を生成する。そして、ユニオンナットは、無線周波数差込み式接続が相互差込みをされた状態であるときに、差込み式コネクタが耐久的に固定されながらも再び解除可能であるように保持されることも保証する。この種の無線周波数差込み式接続は、例えば特許文献１から知られている。
【０００３】
一般的に螺合接続では、緩みにより自己弛緩が起こりうるが、接続は通常そうならないように固定される。皿ばね、耐振動ワッシャーおよびスプリングワッシャー等の、この目的のために利用可能な多数の固定部材がある。
【０００４】
ユニオンナットで固定される螺合接続において螺合ジョイントの固定のためにこの種の固定部材がこれまで使用されてこなかったのには様々な理由がある。１つの理由は、この種の固定部材を組み込むための空間が普通は得られないことである。もう１つの理由は、差込み式接続が相互差込みをされた後で、固定部材が存在し正しく設置されているのを検査されなければならない場合に、使い易さが制限されることである。最後に、固定部材は電気的伝送特性に不利な変化を引き起こしてはならないが、無線周波数差込み式接続において、固定部材は、軸方向の接触面間に配置された場合に、電気的伝送特性に不利な変化を引き起こしうる。
【０００５】
したがって、既知の無線周波数差込み式接続において、自己弛緩に備えた固定は、通常、ユニオンナットを、螺合接続に予測されうる緩みを補償する比較的高い締め付けトルクまで締め付けることによって達成される。しかし、これは、差込み式接続が相互差込みをされるのを困難にし、また、関連する差込み式コネクタに損傷を与える結果となる可能性がある。
【先行技術文献】
【特許文献】
【０００６】
【特許文献１】独国特許発明第４３００２４３号明細書
【発明の概要】
【発明が解決しようとする課題】
【０００７】
上述の先行技術を出発点として、本発明の基となる目的は、ユニオンナットによって固定され、特に比較的低い締め付けトルクでもユニオンナットの自己弛緩がないように固定された、改良された差込み式接続を特定することであった。
【課題を解決するための手段】
【０００８】
この目的は、請求項１に記載の差込み式コネクタにより、また、この種の差込み式コネクタと、それに対して相補型である相手方差込み式コネクタとを備える請求項６に記載の差込み式接続により達成される。本発明による差込み式コネクタの有利な態様は、従属請求項の主題であり、本発明の以下の説明から明らかになるであろう。
【０００９】
一般的な種類の差込み式コネクタ、特に、１つの（または少なくとも１つの）導体を有するとともに、導体に回転可能に装着され、ねじ、特に内ねじを有する１つの（または少なくとも１つの）ユニオンナットを有する無線周波数差込み式コネクタは、本発明により、ユニオンナットが差込み式コネクタの軸方向において導体に弾性的に装着されることを特徴とする。
【００１０】
導体へのユニオンナットの装着における弾性部材の組込みは、通常はそのような部材のための余地がない差込み式コネクタの内部におけるそのような部材の組込みを回避する。また、本発明による差込み式コネクタの設計は、弾性部材が無線周波数信号の信号経路を外れて配置される機会を提供し、それにより、差込み式コネクタのＲＦ伝送特性への如何なる悪影響も実質的に排除されることを可能にする。そして最後に、弾性部材は差込みインタフェースから離れて配置されるため、本発明による差込み式コネクタが、従来型の、特に規格化された（例えば、ＤＩＮ４７２２３、ＤＩＮ４７２８１、ＤＩＮ４７２９５およびＤＩＮ４７２９７に規格化された）相手方差込み式コネクタとの適合性を達成するにあたり問題がない。
【００１１】
好ましくは、弾性部材は、曲がって応力印加される環状ばねの形態をとってもよく、すなわち、ユニオンナットは、曲がって応力印加される１つの（または少なくとも１つの）環状ばねによって導体に装着される。これは、少量の空間のみを要することが顕著である単純な構成の設計である。
【００１２】
特に好ましくは、曲がって応力印加される環状ばねはこの場合、ウェーブワッシャーの形態をとってもよく、それは、ウェーブワッシャーでは寸法が小さくても比較的高い弾性が達成されうるからである。別法として、曲がって応力印加される他のばね、特に皿ばねも使用されうるが、これらは、予め設定された最大弾性がある場合に、通常はウェーブワッシャーに比べて比較的規模が大きくならざるを得ず、その結果として差込み式コネクタの外形寸法が不利に増加する可能性がある。
【００１３】
曲がって応力印加される環状ばねを組み込む特に有利な方式では、曲がって応力印加される環状ばねの内側は導体の溝に配置され、および／または、曲がって応力印加される環状ばねの外側はユニオンナットの溝に配置されてもよい。
【００１４】
本発明による差込み式コネクタは、好ましくは、中央導体を包囲する外側導体の形態の導体を持つ同軸差込み式コネクタの形態をとってもよい。同軸差込み式コネクタは、信号を伝播する中央導体に対して外側導体が実行できる遮蔽作用によって、好ましくはこの場合に目的とすること、すなわち無線周波数信号の伝送に関して有利な適合性を有する。
【００１５】
本発明による差込み式接続は、本発明による１つの（または少なくとも１つの）差込み式コネクタと、１つの（または少なくとも１つの）相手方差込み式コネクタとを備え、相手方差込み式コネクタがユニオンナットと協働するねじ、特に外ねじを有する。
【００１６】
本発明を図面に示す実施形態を参照して以下で詳細に説明する。
【図面の簡単な説明】
【００１７】
【図１】ユニオンナットが完全には螺合していない場合の本発明による差込み式接続の斜視図である。
【図２】ユニオンナットが取り外された差込み式接続の図である。
【図３】図１に示される差込み式接続の長手方向断面図である。
【図４】差込み式接続のウェーブスプリングワッシャーの第１の側面図である。
【図５】ウェーブスプリングワッシャーの第２の側面図である。
【図６】変形した状態のウェーブスプリングワッシャーの側面図である。
【発明を実施するための形態】
【００１８】
図面に示される本発明による差込み式接続の実施形態は、プラグ１の形態の本発明による差込み式コネクタと、プラグ１がその中に嵌るカプラー２の形態の相手方差込み式コネクタとを備える。プラグ１は、別の一連のプラグ（図示せず）に接続することになっており、したがってアダプタを構成する。他方、カプラー２は、ハウジング（図示せず）に接続することになっており、したがってハウジングカプラーを構成する。
【００１９】
２つの差込み式コネクタは、単一の差込み式コネクタの形態であり、それぞれの導体３、４を備える。
【００２０】
プラグ１は、内ねじを有するユニオンナット５を備える。ユニオンナット５はプラグ１の導体３に回転可能に装着される。このために、ユニオンナット５は、その内側に、ウェーブスプリングワッシャー７の形態の、曲がって応力印加されるばねの外側が係合する、丸くループ状に延びる溝６を備える。さらに、導体３は、その外側に、ウェーブスプリングワッシャー７の内側が係合する、丸くループ状に延びる溝８を備える。この場合溝６、８は、ウェーブスプリングワッシャーの体部の断面（長手方向において一定である）よりも幅が広い。溝の幅は好ましくは、無負荷の状態、または、ほんの僅かに予備負荷をかけられている場合の、長軸によって画定される方向におけるウェーブスプリングワッシャー７の全体的な範囲に概ね相当する。ウェーブスプリングワッシャー７によって達成されるのは、ユニオンナット５が、プラグ１の導体３に、回転可能かつ軸方向に固定され、また、限定された、ばね負荷による動きのみが可能となるように装着されるということである。
【００２１】
図４および５において、ウェーブスプリングワッシャー７は、ウェーブスプリングワッシャー７の長軸上で相対的に９０°回転された２つの側面図で示されている。ウェーブスプリングワッシャー７の環状弾性体部の波形または波状の形態がそれらの図で明確に見て取れる。それは、ウェーブスプリングワッシャー７が図１乃至３に示されるような形態で差込み式接続に配置されている、ほぼ無負荷の状態でもある。そこで、ユニオンナット５は、カプラー２の導体４によってその差込み端において形成される外ねじに既に螺合しているが、意図される作動トルクまでは未だ締め付けられていない。差込み式接続が図１乃至３に示される状態にあるとき、２つの差込み式コネクタの導体３、４は軸方向に既に接触している。
【００２２】
差込み式接続の部分で無線周波数信号の良好な伝送特性を達成するために、２つの導体３、４の軸方向の接触面において、規定された接触圧力が達成されるように構成される。この接触圧力を維持するために、ユニオンナット５は、意図される作動トルクまで締め付けられ、それにより、ウェーブスプリングワッシャー７の増加する変形の影響を受けて、したがってその予備負荷の影響を受けてカプラーの方向に動かされる。この過程中に、ウェーブスプリングワッシャー７は図６に示される（ほぼ）平坦な形状に変形する。変形によって引き起こされるウェーブスプリングワッシャー７の弾性予備負荷は、プラグ１の導体３をカプラー２の導体４に対して軸方向に押し付ける。ウェーブスプリングワッシャー７のばね定数はこの場合、意図される接触圧力が、意図される作動トルクをかけることによって導体３、４の軸方向の接触面で得られるように選択される。
【００２３】
図６から、ウェーブスプリングワッシャー７が、Ｃ字形の形態であり、したがって径方向スロット９を有することが分かる。この結果、ウェーブスプリングワッシャー７の径方向の弾性は比較的高く、これが、ユニオンナット５の溝６およびプラグ１の導体３の溝８へとウェーブスプリングワッシャー７が導入されることをより容易にする。
【００２４】
また、示されていない実施形態において、差込み式コネクタは、同軸差込み式コネクタの形態をとってもよい。この場合、導体３、４が中空の形態であり、誘電体によって、特に１つ以上の絶縁ディスクによって関連する（外側）導体３、４から電気的に絶縁される中央導体を導体３、４がそれぞれ受け入れるように構成されてもよい。
【図１】
2016509362.tif 000003
【図２】
2016509362.tif 000004
【図３】
2016509362.tif 000005
【図４】
2016509362.tif 000006
【図５】
2016509362.tif 000007
【図６】
2016509362.tif 000008
【国際調査報告】
2016509362.tif 000009
2016509362.tif 000010
2016509362.tif 000011
2016509362.tif 000012
2016509362.tif 000013
2016509362.tif 000014